(57)【要約】【課題】セトリングチャンバを着脱させるときの作業者の指が受ける負担を低減させたセトリングチャンバ保持具を提供することを課題とする。【解決手段】セトリングチャンバ保持具１０は、上下方向に延びる筒部と該筒部の底部側方へ延び出す第１脚部ＳＴａおよび第２脚部ＳＴｂとを有するセトリングチャンバＳＴを着脱自在に保持する保持具であり、試験用プレートＰＬを載置する凹状のプレート載置部１２と、プレート載置部１２に載置された試験用プレートＰＬ上にセトリングチャンバＳＴを保持する保持部１３とを備える。保持部１３は、セトリングチャンバＳＴが試験用プレートＰＬ上に押圧されることで試験用プレートＰＬ上に密着するように第１脚部ＳＴａと第２脚部ＳＴｂとをそれぞれ係止し、装着されたセトリングチャンバＳＴが引き上げられることで、この係止を解除する係止・係止解除構造１４を有する。【選択図】図１
2020143997.tif 000002
【特許請求の範囲】
【請求項１】
上下方向に延びる筒部と該筒部の底部側方へ延び出す第１脚部および第２脚部とを有するセトリングチャンバを着脱自在に保持するセトリングチャンバ保持具であって、
試験用プレートを載置する凹状のプレート載置部と、
該プレート載置部に載置された前記試験用プレート上に前記セトリングチャンバを保持する保持部と
を備え、
前記保持部は、前記セトリングチャンバが前記試験用プレート上に押圧されることで試験用プレート上に密着するように前記第１脚部と前記第２脚部とをそれぞれ係止し、装着された前記セトリングチャンバが引き上げられることで、前記係止を解除する係止・係止解除構造を有することを特徴とするセトリングチャンバ保持具。
【請求項２】
前記係止・係止解除構造は、
前記プレート載置部の側壁に開口し前記第１脚部が差し込まれる穴部と、
前記プレート載置部の前記側壁に対向する対向側壁に開口するとともに、前記第２脚部が上方から押し込み可能なように上側に開口している凹部と、
前記凹部を形成する凹部側壁から張り出す係止用の凸部とを備え、
前記第１脚部が前記穴部に差し込まれ前記第２脚部が前記凹部に押し込まれて前記凸部を乗り越えると、前記筒部の底部下側と前記試験用プレートとが密着状態になり、
前記密着状態で前記第２脚部が前記凹部から引き出されて前記凸部を乗り越えると前記密着状態が解除されることを特徴とする請求項１に記載のセトリングチャンバ保持具。
【請求項３】
前記係止・係止解除構造は、前記凸部を形成する回転可能な球状部材を備え、前記球状部材の一部が前記対向側壁から張り出していることを特徴とする請求項２に記載のセトリングチャンバ保持具。
【請求項４】
前記穴部および前記凹部のそれぞれ延びる方向が、前記筒部の中心軸に直交し互いに逆向きとなる方向であり、かつ、前記プレート載置部の長手方向に対して所定角度範囲内で傾斜する方向であることを特徴とする請求項２または３に記載のセトリングチャンバ保持具。
【請求項５】
前記穴部および前記凹部のそれぞれ延びる方向が、前記筒部の中心軸に直交し互いに逆向きとなる方向であり、かつ、前記プレート載置部の長手方向に対して９０°をなす方向であることを特徴とする請求項２または３に記載のセトリングチャンバ保持具。
【発明の詳細な説明】
【技術分野】
【０００１】
本発明は、セトリングチャンバを保持するセトリングチャンバ保持具に関する。
【背景技術】
【０００２】
液状の試験体を用いて検査することが広く行われている（例えば、特許文献１参照）。その際、試験体中の物質を塗抹状にする場合がある。この場合、試験用プレート上にセトリングチャンバを密着させて試験用プレートとセトリングチャンバとによって容器状の空間を形成し、この空間内に試験体を入れ、塗抹状にすることがしばしば行われる。
【０００３】
ここで、セトリングチャンバとしては、上下方向に延びる筒部と、筒部の底外側から水平に延び出す２本の係止用の脚部とを備えて底部が試験用プレートに密着可能なものを用いることが多い。
【０００４】
このようなセトリングチャンバを保持するセトリングチャンバ保持具としては、通常、試験用プレートを載置するプレート載置部と、プレート載置部の側壁に形成されセトリングチャンバの２本の脚部がそれぞれ係止する穴部とを備えたものを用いている。
【先行技術文献】
【特許文献】
【０００５】
【特許文献１】特開2017-106884号公報
【発明の概要】
【発明が解決しようとする課題】
【０００６】
ところで、セトリングチャンバをセトリングチャンバ保持具に保持させる際、セトリングチャンバ保持具に載置された試験用プレートにセトリングチャンバを密着させるために、作業者がセトリングチャンバを試験用プレートに押圧しつつセトリングチャンバを回転移動させることでセトリングチャンバ保持具に係止させている。また、セトリングチャンバを取り外すときにも同様に回転移動させて係止解除させている。
【０００７】
このような着脱作業では、セトリングチャンバを回転移動させる際に作業者の指に掛かる力が大きいため、指が受ける負担が大きいという問題があった。そしてこの問題は、多数のセトリングチャンバをセトリングチャンバ保持具に取付けていく場合に特に顕著になっていた。
【０００８】
そこで、本発明は、セトリングチャンバを着脱させるときの作業者の指が受ける負担を低減させたセトリングチャンバ保持具を提供することを課題とする。
【課題を解決するための手段】
【０００９】
上記課題を解決するために、本発明に係るセトリングチャンバ保持具は、上下方向に延びる筒部と該筒部の底部側方へ延び出す第１脚部および第２脚部とを有するセトリングチャンバを着脱自在に保持するセトリングチャンバ保持具であって、試験用プレートを載置する凹状のプレート載置部と、該プレート載置部に載置された前記試験用プレート上に前記セトリングチャンバを保持する保持部とを備え、前記保持部は、前記セトリングチャンバが前記試験用プレート上に押圧されることで試験用プレート上に密着するように前記第１脚部と前記第２脚部とをそれぞれ係止し、装着された前記セトリングチャンバが引き上げられることで、前記係止を解除する係止・係止解除構造を有することを特徴とする。
【発明の効果】
【００１０】
本発明によれば、セトリングチャンバを着脱させるときの作業者の指が受ける負担を低減させたセトリングチャンバ保持具を提供することができる。
【図面の簡単な説明】
【００１１】
【図１】本発明の一実施形態で、セトリングチャンバ保持具にセトリングチャンバを取付けることを説明する展開斜視図である。
【図２】本発明の一実施形態で、セトリングチャンバをセトリングチャンバ保持具に取付けた状態を説明する平面図である。
【図３】本発明の一実施形態で、セトリングチャンバをセトリングチャンバ保持具に取付けた状態を説明する側面図である（簡明化のため係止・係止解除構造の描画を省略）。
【図４】（ａ）〜（ｄ）は、それぞれ、本発明の一実施形態で、セトリングチャンバをセトリングチャンバ保持具に取付ける手順を説明する側面断面図である。
【発明を実施するための形態】
【００１２】
以下、実施形態を挙げ、添付図面を参照しつつ本発明の実施の形態について説明する。
【００１３】
図１〜図４に示すように、本発明の一実施形態（以下、本実施形態という）に係るセトリングチャンバ保持具１０は、試験用プレートＰＬを載置する凹状のプレート載置部１２と、プレート載置部１２に載置された試験用プレートＰＬ上にセトリングチャンバＳＴを密着するように着脱自在に保持する保持部１３とを備えた板状部材である。本実施形態では、セトリングチャンバ保持具１０は、プレート載置部１２を縦横に複数列に配列して備えている。そして、セトリングチャンバ保持具１０は、隣り合うプレート載置部１２の間に隆起部１６を備える。
【００１４】
セトリングチャンバＳＴは、上下方向に延びる筒部ＳＴｐと、筒部ＳＴｐの底部側方へ延び出す第１脚部ＳＴａおよび第２脚部ＳＴｂとを有する。本実施形態では、筒部ＳＴｐは底部に鍔部ＳＲを備えており、鍔部ＳＲの外周側から第１脚部ＳＴａおよび第２脚部ＳＴｂが水平に延び出している。そして底部下側には、試験用プレートＰＬのプレート面に押圧されることで密着する弾性変形可能な部材（図示せず）が配置されている。この弾性変形可能な部材は、例えば、リング状のシリコーン材で構成されている。
【００１５】
保持部１３は、セトリングチャンバＳＴの係止と係止解除とを切り換えるための係止・係止解除構造１４を有する。係止・係止解除構造１４は、セトリングチャンバＳＴが試験用プレートＰＬ上に押圧されることで試験用プレートＰＬ上に密着するように第１脚部ＳＴａと第２脚部ＳＴｂとをそれぞれ係止し、装着されたセトリングチャンバＳＴが引き上げられることで、係止を解除する構成になっている。
【００１６】
本実施形態では、係止・係止解除構造１４は、プレート載置部１２の側壁１２ｗ１に開口し第１脚部ＳＴａが差し込まれるように延びる穴部１４ｈと、側壁１２ｗ１に対向する対向側壁１２ｗ２から延びる凹部１４ｄとを備える。凹部１４ｄは、対向側壁１２ｗ２に開口するとともに第２脚部ＳＴｂが上方から押し込み可能なように上側にも開口している。更に係止・係止解除構造１４は、凹部１４ｄを形成する凹部側壁から張り出す係止用の凸部１４ｃを備える。
【００１７】
そして、第２脚部ＳＴｂが凹部１４ｄに上方から押し込まれると第２脚部ＳＴｂは凸部１４ｃを乗り越えて、凸部１４ｃの下方側で保持され、筒部ＳＴｐの底部下側と試験用プレートＰＬの上面とが密着状態になる。そして、この密着状態で第２脚部ＳＴｂが凹部１４ｄから上方へ引き出されて凸部１４ｃを乗り越えると、この密着状態が解除される構成になっている。
【００１８】
なお、セトリングチャンバ保持具１０は、列端部に配置されたプレート載置部１２の列外側に隆起部１６ｅを備える。この隆起部１６ｅは、プレート載置部１２を介して対向する隆起部１６側に穴部１４ｈが形成されている場合には凹部１４ｄおよび凸部１４ｃが形成され、対向する隆起部１６側に凹部１４ｄおよび凸部１４ｃが形成されている場合には、穴部１４ｈが形成されている。
【００１９】
また、本実施形態では、凸部１４ｃを形成する回転可能な球状部材１４ｂが配置されている（すなわち、ボールプランジャーが配置された構造になっている）。本実施形態では、球状部材１４ｂは鋼球からなり、また、球状部材１４ｂの一部を凹部１４ｄの延び出し方向端の側壁（凹部側壁）から張り出させるための支持部材（例えばリング状の当接部材）が配置されている。
【００２０】
そして本実施形態では、穴部１４ｈおよび凹部１４ｄのそれぞれ延びる方向Ａ、Ｂ（図２参照）が、筒部ＳＴｐの中心軸Ｃ（図１参照）に直交し互いに逆向きとなる方向であり、かつ、プレート載置部１２の長手方向Ｄ（図２参照）に対して角度θで傾斜する方向である。角度θは、隆起部１６の幅の増大を十分に抑えることができ、しかもセトリングチャンバＳＴが十分な力で係止・係止解除構造１４に保持されるように、所定角度範囲内に決められている。本実施形態では、この所定角度は６５〜７５°の範囲である。７５°以下であることにより隆起部１６の幅の増大が抑え易くなり、また、６５°以上であることによりセトリングチャンバＳＴを十分な力で係止・係止解除構造１４に係止し易い。
【００２１】
穴部１４ｈ、凹部１４ｄ、凸部１４ｃ（球状部材１４ｂ）のそれぞれの配置位置や寸法は、セトリングチャンバＳＴが試験用プレートＰＬ上に良好にセットされ、しかも簡易に着脱できるように、決められている。
【００２２】
（作用、効果）
以下、本実施形態の作用、効果を述べる。図４に示すように、セトリングチャンバＳＴをセトリングチャンバ保持具１０に保持させるには、作業者が、セトリングチャンバＳＴの筒部ＳＴｐを指で挟持し、プレート載置部１２に試験用プレートＰＬを載置し、更に、セトリングチャンバＳＴの第１脚部ＳＴａを係止・係止解除構造１４の穴部１４ｈの差し込む（図４（ａ）、（ｂ）参照）。
【００２３】
そして、第２脚部ＳＴｂを凸部１４ｃの上側に当接させ（図４（ｃ）参照）、セトリングチャンバＳＴに押込み力を加えることで、第２脚部ＳＴｂの先端部が凸部１４ｃを乗り越える（図４（ｄ）参照）。この結果、第２脚部ＳＴｂの先端部は凸部１４ｃの下側に位置して、凸部１４ｃから下方への押圧力を受け、筒部ＳＴｐの底部下側が試験用プレートＰＬの上面に面接触して密着状態になる（係止状態）。これをプレート載置部１２毎に行っていく。なお、必要なライン上にのみセトリングチャンバＳＴを配列してもよい。
【００２４】
次に、液状の試験体を各筒部ＳＴｐ内に上方から入れ、所定時間の静置やエタノールでの洗浄等の必要な工程を行い、試験用プレートＰＬにおける筒部ＳＴｐの底側部分に、検査対象となる塗抹状の物質を形成する。
【００２５】
その後、セトリングチャンバＳＴを引き上げることで取外し（係止解除状態）、試験用プレートＰＬを取り出して塗抹状の物質の検査を行う。
【００２６】
以上説明したように、本実施形態のセトリングチャンバ保持具１０の係止・係止解除構造１４は、セトリングチャンバＳＴが試験用プレート上に押圧されることで試験用プレート上に密着するように第１脚部ＳＴａと第２脚部ＳＴｂとをそれぞれ係止し、装着されたセトリングチャンバＳＴが引き上げられることで、この係止を解除する構成になっている。
【００２７】
従って、従来のように作業者がセトリングチャンバＳＴを下方へ押圧しつつ回動移動させる必要がない。よって、セトリングチャンバＳＴを取付けるとき及び取り外すときの作業者の指が受ける負担を大幅に低減させることができる。
【００２８】
また、セトリングチャンバＳＴを従来のように回動させることなく係止・係止解除構造１４に係止や係止解除をすることができる構造なので、穴部１４ｈの中空部分の寸法が従来に比べて小さく、凹部１４ｄでは中空部分が不要になる。従って、セトリングチャンバ保持具１０の製作時にかかる加工時間が大きく短縮される。
【００２９】
また、本実施形態では、凸部１４ｃを形成する回転可能な球状部材１４ｂが配置されている。これにより、第２脚部ＳＴｂが凸部１４ｃを乗り越え易くなり、しかも、乗り越えるのに必要な力が大きく低減される。
【００３０】
そして、本実施形態では、球状部材１４ｂは鋼球からなる。よって、球状部材１４ｂが破損し難く、球状部材１４ｂの耐久性を十分に上げることができる。
【００３１】
また、本実施形態では、穴部１４ｈおよび凹部１４ｄのそれぞれ延びる方向Ａ、Ｂ（図２参照）が、筒部ＳＴｐの中心軸Ｃ（図１参照）に直交し互いに逆向きとなる方向であり、かつ、プレート載置部１２の長手方向Ｄ（図２参照）に対して角度θで傾斜する方向である。角度θは、隆起部１６の幅の増大を十分に抑えることができ、しかもセトリングチャンバＳＴが十分な力で係止・係止解除構造１４に係止されるように、所定角度範囲内に決められている。
【００３２】
従って、隆起部１６の幅の増大を十分に抑えることができ、しかもセトリングチャンバＳＴが十分な力で係止・係止解除構造１４に係止される構成にし易い。
【００３３】
なお、穴部１４ｈの延びる方向および凹部１４ｄの延びる方向が、プレート載置部１２の長手方向Ｄに対して９０°をなす方向であってもよい。これにより、作業者にとってセトリングチャンバＳＴの着脱が容易である。
【００３４】
以上、実施形態を説明したが、これらの実施形態は本発明の技術的思想を具体化するための例示であって、構成部品の材質、形状、構造、配置等を上記実施形態に特定するものではなく、要旨を逸脱しない範囲内で種々変更して実施できる。例えば、上記実施形態では係止・係止解除構造１４としてボールプランジャーが配置されている例で説明したが、ボールプランジャーに代えて、板バネやシーソースイッチが係止部材として配置された構造であってもよい。また、両端プランジャー式のセトリングチャンバ保持具、すなわち、セトリングチャンバＳＴの第２脚部ＳＴｂだけでなく第１脚部ＳＴａもプランジャー式で係止、係止解除をすることができるセトリングチャンバ保持具としてもよい。
【符号の説明】
【００３５】
１０  セトリングチャンバ保持具
１２  プレート載置部
１２ｗ１  側壁
１２ｗ２  対向側壁
１３  保持部
１４  係止・係止解除構造
１４ｂ  球状部材
１４ｃ  凸部
１４ｄ  凹部
１４ｈ  穴部
１６  隆起部
１６ｅ  隆起部
Ａ  方向
Ｂ  方向
Ｃ  中心軸
ＰＬ  試験用プレート
ＳＲ  鍔部
ＳＴ  セトリングチャンバ
ＳＴａ  第１脚部
ＳＴｂ  第２脚部
ＳＴｐ  筒部
θ  角度
【図１】
2020143997.tif 000003
【図２】
2020143997.tif 000004
【図３】
2020143997.tif 000005
【図４】
2020143997.tif 000006